(57)【特許請求の範囲】
【請求項１】
複数のアンテナで各々独立して受信された受信信号を復調し、各前記受信信号に含まれる各伝送データ及び各前記伝送データに重畳されている各制御データを取得する複数のブランチと、
各前記ブランチで取得した前記制御データの内容に差異が生じた場合、前記複数の制御データのうち同一であってかつ多数を占める特定の制御データを選択する制御データ選択手段と、
前記制御データ選択手段によって選択された前記特定の制御データを用いて、前記複数の伝送データを合成してトランスポートストリームデータを再構成する再構成手段と
を有することを特徴とする地上デジタル放送受信装置。
【請求項２】
請求項１に記載の地上デジタル放送受信装置において、
前記ブランチは、
各々の前記制御データを受信後に誤り訂正を実施する誤り訂正手段
を備え、
前記誤り訂正手段によって誤り訂正が不能とされた前記制御データを破棄する
ことを特徴とする地上デジタル放送受信装置。
【請求項３】
請求項２に記載の地上デジタル放送受信装置において、
前記制御データ選択手段は、
前記複数のブランチで受信された前記複数の制御データに差異が生じた場合、前記複数の制御データのうち同一であってかつ最も数の多い特定の制御データを選択する
ことを特徴とする地上デジタル放送受信装置。
【請求項４】
請求項３に記載の地上デジタル放送受信装置において、
前記複数の制御データのうち同一であってかつ最も数の多い特定の制御データが複数存在する場合に、
前記制御データ選択手段は、予め定められた特定のブランチで取得した制御データを選択する
ことを特徴とする地上デジタル放送受信装置。
【請求項５】
請求項４に記載の地上デジタル放送受信装置において、
前記ブランチは、
各々の前記制御データを受信後に誤り訂正を実施する誤り訂正手段
を備え、
初期化処理後初めて受信する前記制御データを、前記誤り訂正手段によって誤り訂正処理を実施せず、前記再構成手段で使用する各前記制御データを受信し次第直ちに、前記制御データ選択手段に引き渡す
ことを特徴とする地上デジタル放送受信装置。
【請求項６】
複数のアンテナで各々独立して受信された受信信号を復調し、各前記受信信号に含まれる各伝送データ及び各前記伝送データに重畳されている各制御データを取得する複数のブランチで取得した各前記制御データの内容に差異が生じた場合、前記複数の制御データのうち同一であってかつ多数を占める特定の制御データを選択する制御データ選択ステップと、
前記制御データ選択ステップにて選択された前記特定の制御データを用いて、前記複数の伝送データを合成してトランスポートストリームデータを再構成する再構成ステップと
を有することを特徴とする地上デジタル放送受信方法。
【発明の詳細な説明】
【技術分野】
【０００１】
本発明は、受信信号を受信する地上デジタル放送受信装置等に関する。
【背景技術】
【０００２】
我が国においては既にデジタル放送が開始されており、我が国における地上デジタル放送では、伝送方式としていわゆる直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が採用されている。
【０００３】
このＯＦＤＭはマルチキャリア方式と呼ばれ、伝送帯域内に数千本のキャリアを立てて、各々のキャリアにデータを割り付けてデジタル放送を行う技術である。このＯＦＤＭは、一部のキャリアに割り付けたデータが損傷していても他のキャリアで誤り訂正を行うことができるため、従来から行われているアナログ放送において生じていたゴーストなどが発生しにくいという特徴を有する。
【０００４】
また移動受信装置においては、移動に伴う受信状態の悪化を避けるため、いわゆるダイバーシティ受信方式を採用することで安定した受信状態の確保を図る技術が採用されている。このダイバーシティ受信方式は、複数のアンテナによって受信した放送波に基づく各受信信号を合成したり、または、複数のアンテナから受信状態の良いアンテナを選択して使用する方式である。
【０００５】
一般的に受信装置は、フリンジエリアなど受信環境の悪い条件において、劣化した信号を受信する可能性が高く受信信号の多くに誤りが発生する可能性が高い。また従来の受信装置では、誤り訂正処理の誤判定から、結果を正しい結果と認識してしまうことがあった。
【０００６】
従来の受信装置では、このような場合、１シンボル内の複数キャリアから得られたＴＭＣＣデータをそのブランチ単位でビットごとに多数決処理を実施し、用いるべきＴＭＣＣデータを確定している（例えば特許文献１参照）。
【特許文献１】特開２００２−２１８３３９号公報（００４７、図５）
【発明の開示】
【発明が解決しようとする課題】
【０００７】
しかしながら従来の受信装置は、上述のようなブランチごとの多数決処理を行っても各ブランチで選ばれる各ＴＭＣＣデータが異なってしまう可能性があり、その場合に対処すべき処理が不明であり最終的に用いるべきＴＭＣＣデータを確定できないおそれがあった。また従来の受信装置においては、このように用いるべきＴＭＣＣデータを確定できない状態で放送波を受信することを防止する機能を搭載している場合、この放送波の受信処理そのものに影響を与えるおそれがあった。
【０００８】
本発明が解決しようとする課題には、上記した問題が一例として挙げられる。
【課題を解決するための手段】
【０００９】
上記課題を解決するために、請求項１記載の発明は、複数のアンテナで各々独立して受信された受信信号を復調し、各前記受信信号に含まれる各伝送データ及び各前記伝送データに重畳されている各制御データを取得する複数のブランチと、各前記ブランチで取得した各前記制御データの内容に差異が生じた場合、前記複数の制御データのうち同一であってかつ多数を占める特定の制御データを選択する制御データ選択手段と、前記制御データ選択手段によって選択された前記特定の制御データを用いて、前記複数の伝送データを合成してトランスポートストリームデータを再構成する再構成手段とを有する。
【００１０】
上記課題を解決するために、請求項６記載の発明は、複数のアンテナで各々独立して受信された受信信号を複調し、各前記受信信号に含まれる各伝送データ及び各前記伝送データに重畳されている各制御データを取得する複数のブランチで取得した各前記制御データの内容に差異が生じた場合、前記複数の制御データのうち同一であってかつ多数を占める特定の制御データを選択する制御データ選択ステップと、前記制御データ選択ステップにて選択された前記特定の制御データを用いて、前記複数の伝送データを合成してトランスポートストリームデータを再構成する再構成ステップとを有する。
【発明を実施するための最良の形態】
【００１１】
以下、本発明の一実施の形態を図面を参照しつつ説明する。
【００１２】
ＩＳＤＢ−Ｔ方式においては伝送方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を採用している。このＯＦＤＭ方式では、互いに直交する関係にある多数のキャリアにデータを分割して伝送している。
【００１３】
地上デジタルテレビジョン放送用の各周波数（以下、「チャンネル」とも称する）の帯域幅は６ＭＨｚである。各チャンネルの伝送路は６ＭＨｚを１４等分した帯域幅（約４２９ｋＨｚ）をＯＦＤＭセグメント１つの帯域幅として、１３個のＯＦＤＭセグメントにより形成されている。車載用受信装置では、移動受信性能向上を図るため、複数のアンテナ入力から構成されるダイバーシティ構成を採用している。
【００１４】
図１は、一実施形態としての受信装置１の電気的な構成例を示すブロック図である。
【００１５】
受信装置１は、各ブランチ２０〜２３、ダイバー合成部１４、トランスポートストリームデータ（以下「ＴＳデータ」と称する）再生部１５、ＴＭＣＣコントローラ１６及びコントローラ１７を有する。
【００１６】
各ブランチ２０〜２３は、複数（本実施形態では４つを例示する）のアンテナ（ダイバー）に各々対応した独立した構成要素となっている。各ブランチ２０〜２３は、例えば４つのアンテナで各々独立して同時に受信された受信信号を復調し、その受信信号に含まれる伝送データ及びその伝送データに重畳されているＴＭＣＣデータ（制御データ）を取得する機能を有する。
【００１７】
各ブランチ２０〜２３は、Ａ／Ｄコンバータ３、シンボル同期検出部４、ＦＦＴ５、等価処理部６、フレーム同期検出部７及びＴＭＣＣ復号部８を備えている。コントローラ１７は、各ブランチ２０〜２３のシンボル同期検出部４、そのＴＭＣＣコントローラ１６及びＴＳデータ再生部１５を制御する。
【００１８】
Ａ／Ｄコンバータ３は、各ブランチ２０〜２３においてチューナ（図示せず）を介して中間周波数信号（図示のＩＦ信号に相当）となった放送波を量子化し、アナログデータからデジタルデータに変換する。シンボル同期検出部４は、チャンネルチェンジ等の受信処理の初期化が実施された後、ＯＦＤＭ信号の伝送モード、ガードインターバル比判定を実施し、シンボル同期を確立する。ＦＦＴ（Ｆａｓｔ  Ｆｏｕｒｉｅｒ  Ｔｒａｎｓｆｏｒｍ）５は、そのシンボル同期が確立したシンボルに対してＦＦＴ処理を実施し、ＯＦＤＭ信号を構成する各キャリア成分を抽出する。等価処理部６は、ＦＦＴ５が抽出した各キャリア成分について伝送路における歪みを補償する。フレーム同期検出部７は、各ＯＦＤＭフレームの同期検出を行う。ＴＭＣＣ復号部８は、ＦＦＴ５から出力されるＴＭＣＣデータを復調し、ＴＭＣＣ情報などを取得する。
【００１９】
ＴＭＣＣデータは、ＩＳＤＢ−Ｔ仕様に定められたキャリア位置にＤＢＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）変調された状態で伝送されている。ＴＭＣＣデータの位置は、シンボル同期確立時に得られた伝送モードとガードインターバルの情報に基づき、ＩＳＤＢ−Ｔ仕様に定められたキャリア位置から判別される。
【００２０】
ＴＭＣＣデータは２０４ビットからなるデータであり、１つのＯＦＤＭフレームごとに完結している。このＴＭＣＣデータは、シンボルごとに１ビット重畳された状態で伝送される。
【００２１】
ＴＭＣＣデータは、作動復調の基準、ＯＦＤＭフレームの同期信号（以下単に「同期信号」と称する）、セグメント形式識別、ＴＭＣＣ情報及びパリティビットから構成されるビット列である。このパリティビットはＴＭＣＣ情報の誤り訂正を行うためのデータである。ＴＭＣＣ情報は、システム識別、伝送パラメータ切り替え指標、緊急警報放送用起動フラグ、カレント情報、ネクスト情報、連結送信位相補正量などを含む。カレント情報及びネクスト情報は、部分受信フラグ、各階層伝送パラメータ情報を有する。カレント情報は現在の階層構成及び伝送パラメータ情報を示している。ネクスト情報は切り替え後の伝送パラメータ情報を示している。
【００２２】
車載の受信装置１において受信する場合、各２０〜２３の入力ごとに受信状況が異なるため、常に全てのブランチ２０〜２３で放送波を受信できる保証はない。ＯＦＤＭフレーム同期確立後においては、誤り訂正処理により誤りが存在することが明確なブランチのＴＭＣＣ情報は破棄される。
【００２３】
ダイバー合成部１４は、各ブランチ２０〜２３からの伝送データをダイバー合成し、ＴＳデータ再生部１５に引き渡す。ＴＳデータ再生部１５は、ＴＳデータの再構成処理を実施する。このＴＳデータの再構成処理では、このように伝送データがダイバー合成された後、ＴＳデータを再構成するための処理を実施する。
【００２４】
ＴＳデータの再構成処理には、ＴＭＣＣ情報として伝送されてくる部分受信フラグ、変調パラメータ、畳込み符号化率、時間インタリーブ長、セグメント構成などの伝送パラメータ情報が必要となる。これらの情報は、ＴＭＣＣ情報が（１８４，１０２）の誤り訂正符号化されていることから、１ＯＦＤＭフレーム以上のデータを取得しなければ確定できない。しかし、これらの値を特定の初期値として保持することにより、１ＯＦＤＭフレーム受信する以前からＴＳデータ再構成処理が可能となる。
【００２５】
ＴＭＣＣコントローラ１６は、各ブランチ２０〜２３のＴＭＣＣ復号部８によって復号されたＴＭＣＣデータを取得し、多数決処理を実行する。つまりＴＭＣＣコントローラ１６は、その多数決処理として、各ブランチ２０〜２３からの各ＴＭＣＣデータに差異が生じた場合、これら複数のＴＭＣＣデータのうち同一であってかつ多数を占める特定のＴＭＣＣデータを選択する。本実施形態では、ＴＭＣＣコントローラ１６は、各ブランチ２０〜２３からの各ＴＭＣＣデータに差異が生じた場合、前記複数のＴＭＣＣデータのうち同一であってかつ最も数の多い特定の制御データを選択するものとする。
【００２６】
上述したダイバー合成部１４及びＴＳデータ再生部１５は再構成手段に相当し、そのようにＴＭＣＣコントローラ１６によって選択された特定のＴＭＣＣデータを用いて、その複数の伝送データを合成してＴＳデータを再構成する。
【００２７】
このＴＭＣＣコントローラ１６（制御データ制御手段）は、ＴＭＣＣデータの切り替えを予告するための伝送パラメータ切り替え指標（制御データ切り替え指標）を正常に取得できた場合、伝送パラメータ切り替え指標に従って内部のＴＭＣＣデータを更新する。
【００２８】
一方、このＴＭＣＣコントローラ１６は、受信信号の受信状況により、ＴＭＣＣデータの切り替えを予告する制御データ切り替え指標（伝送パラメータ切り替え指標）がそのＴＭＣＣデータから取得できない間に、前記ブランチ２０〜２３によってその後取得された新規なＴＭＣＣデータが内部のＴＭＣＣデータと差異を生じたことを契機として、伝送パラメータ切り替え指標に従ったＴＭＣＣデータの更新とは異なる次のような独自の切り替えを行う。
【００２９】
すなわちこのＴＭＣＣコントローラ１６は、その新規のＴＭＣＣデータを所定期間にわたり保留し、その後もブランチ２０〜２３によって同一の新規なＴＭＣＣデータが取得され続けていたことが判明した場合、その新規なＴＭＣＣデータで内部のＴＭＣＣデータを更新する。
【００３０】
ＴＭＣＣコントローラ１６は、ブランチ２０〜２３によって取得された新規のＴＭＣＣデータが内部のＴＭＣＣデータと差異を生じたことを契機として設定され、ブランチ２０〜２３によってその後取得された新規のＴＭＣＣデータが前記内部のＴＭＣＣデータと一致すると初期化される不一致確認フラグ（Ｄｉｓｃｏｒｅｄ＿Ｆｌａｇ）を備えている。
【００３１】
ＴＭＣＣコントローラ１６は、上記不一致確認フラグが設定されたことを契機に、繰り返し送信されてくるＴＭＣＣデータの受信回数の計測を開始し、上記ブランチ２０〜２３によってその後取得される新たなＴＭＣＣデータが変化することなく受信し続けられた回数を計測するカウンタ（Ｄｉｓｃｏｒｅｄ＿Ｃｏｕｎｔ）を備える。
【００３２】
車載受信装置１で使用されるアンテナは、一般的に家庭で使用されるそれに比べ指向性が低いことが想定されている。車載受信装置１は各放送局の想定する送信エリア端（フリンジエリア）では、アンテナ毎に隣接する異なった放送局から
送信される放送波を受信する可能性が想定され、各ブランチ毎に異なったＴＭＣＣ情報を受信する可能性が想定される。
【００３３】
本実施形態では、各ブランチ２０〜２３で受信したＴＭＣＣ情報を比較し、差異があった場合は多数決処理を実施し、ＴＭＣＣ情報を確定する。また、多数決で決定できない場合は予め設定したブランチのＴＭＣＣ情報を採用する。
【００３４】
各ブランチ２０〜２３は、チャンネルチェンジによる初期化の後、ＴＭＣＣデータの取得を開始する。ＴＭＣＣデータは、ＯＦＤＭフレームの先頭に配置される同期信号を検出することによりデータビット位置が確定し、その内容の判別が可能となる。
【００３５】
ＴＭＣＣデータは（１８４，１０２）の差周回巡回符号による誤り訂正符号化されているため、全データを取得した後で無ければ確定する事はできない。しかしＴＭＣＣデータは、強固な変調方式であるＤＱＰＳＫで伝送されているため、ＴＳデータの再構成が実施可能な受信状態であれば、誤りの無いデータが取得できる可能性は高いと推定される。
【００３６】
よって本実施形態では、初期化直後に取得されたＴＭＣＣ情報のカレント情報が取得でき次第、このカレント情報をＴＭＣＣコントローラ１６に受け渡し、このＴＭＣＣコントローラ１６はＴＭＣＣ情報確定後にＴＳデータ再構成処理に反映させる。
【００３７】
この処理により、送信されている放送波の伝送パラメータ情報が初期設定値と異なった場合、１ＯＦＤＭフレーム取得前に伝送パラメータ情報に即したＴＳデータ再構成処理が実施可能となり、再構成されたＴＳデータの出力までの高速化が期待できる。
【００３８】
地上デジタル放送受信装置は、ＴＭＣＣ情報で伝送パラメータ情報が受信装置に伝達され、そのＴＭＣＣ情報を使用しＴＳデータ再構成処理を実施している。このＴＭＣＣ情報は動的に変更するが可能な運用になっており、その切り替えタイミングはＴＭＣＣ情報中にある伝送パラメータ切り替え指標により受信装置１に伝達される。受信装置１は伝送パラメータ切り替え指標を参照することにより、伝送パラメータ情報の切り替えに円滑に追従することが期待されている。
【００３９】
しかし車載の受信装置１は、トンネルなどの遮蔽物の影響により伝送パラメータ切り替え指標を受信できない場合が発生する。また、上述したようにフリンジエリアでは異なった放送局の電波が受信可能な場合が想定され、隣接する放送局の伝送パラメータ情報が異なっている可能性も想定される。そのため本実施形態では、受信装置１自体がＴＭＣＣ情報の変更に対応するアルゴリズムを提案する。
【００４０】
受信装置１は以上のような一構成例であり、次に図１を参照しつつ当該一構成例による受信方法の一例について説明する。
図２は、ＴＭＣＣ取得処理の手順例を示すフローチャートである。このＴＭＣＣ取得処理は、各ブランチ２０〜２３によって実施される処理を表している。
【００４１】
ステップＳ１では、各ブランチ２０〜２３はＴＭＣＣデータの復調処理を実施し、フレーム同期検出部７が、復調して得られたデータ列から１６ビットのＯＦＤＭフレーム同期信号（以下「同期信号」と称する）の検出を行う。以下、ステップＳ１における処理を「同期信号検出処理」と称する。
【００４２】
上記ＯＦＤＭフレーム同期信号を検出した後、ステップＳ２では、ＴＭＣＣ復号部８が、伝送パラメータなどの情報が格納されているＴＭＣＣ情報を受け取る。ステップＳ３では、ＴＭＣＣ復号部８が、そのＴＭＣＣ情報の受信終了後直ちに復号し、ＴＭＣＣコントローラ１６へそのＴＭＣＣ情報を伝達する。
【００４３】
ＴＭＣＣデータはＴＭＣＣ情報に（１８４，１０２）の誤り訂正符号化がされている。このためステップＳ５では、誤り訂正が可能であるか否かが判断される。誤り訂正が可能であれば、ＴＭＣＣ復号部８が１ＯＦＤＭフレーム終了後に誤り訂正処理を実施する。ここで誤り訂正が可能であれば、訂正された出力がＴＭＣＣコントローラ１６に送られ、ステップＳ６が実行される。このステップＳ６では、ＴＭＣＣ復号部８が再度ＴＭＣＣ情報をＴＭＣＣコントローラ１６へ伝達する。一方、誤り訂正が可能でなければ、後述ステップＳ７が実行される。
【００４４】
このステップＳ７では、フレーム同期検出部７が、１ＯＦＤＭフレームデータを受信したことを確認し、次のＯＦＤＭフレームの先頭にある同期信号を確認する。次ＯＦＤＭフレームの同期信号が検出されない場合、当初の同期検出は誤判定であるため、再度同期信号検出処理（ステップＳ１に相当）に戻る。一方、同期信号が検出された場合、ＯＦＤＭのフレーム同期が確立する。ＴＭＣＣデータは毎ＯＦＤＭフレームに重畳して送信されてくるため、チャンネルチェンジ等により初期化されるまで上記の処理を繰り返す。
【００４５】
図３は、ＴＭＣＣコントローラ１６の処理例を示すフローチャートである。
ＴＭＣＣコントローラ１６は、各ブランチ２０〜２３から伝達されたＴＭＣＣデータから、ＴＭＣＣ情報を確定する処理及びＴＭＣＣ情報が変更された場合の処理を実施する。
【００４６】
ステップＳ１１では初期値による復調スタートを行う。このステップＳ１１では、ＴＭＣＣコントローラ１６が、チャンネルチェンジなどによる初期化終了後、受信装置１があらかじめ所有している、ＴＳデータの再構成処理に必要な階層構成情報、デインタリーブ情報、デマッピング情報の初期値設定をコントローラ１７に伝達する。ＴＳ再生部１５は、これらの情報をもとにＴＳデータの再構成を開始する。
【００４７】
ステップＳ１２では、各ブランチ２０〜２３からＴＭＣＣ情報が取得される。具体的には、各ブランチ２０〜２３は受信信号を受信し、その受信信号から伝送データの復調に必要なＴＭＣＣ情報を得ると直ちに、そのＴＭＣＣ情報をＴＭＣＣコントローラ１６に引き渡す。ここで「直ちにＴＭＣＣ情報を引き渡す」とは、ＴＭＣＣ情報の誤り訂正後に誤りがないことを確認せずに、そのＴＭＣＣ情報を引き渡すことを示している。
【００４８】
次にステップＳ１３では、ＴＭＣＣコントローラ１６が各ＴＭＣＣ情報に差異があるか否かを判断する。ＴＭＣＣコントローラ１６は、ブランチ２０〜２３によってその後取得された新規なＴＭＣＣデータが内部のＴＭＣＣデータと差異を生じ手いるか否かを判断している。
【００４９】
ＴＭＣＣコントローラ１６は、各ブランチ２０〜２３から得られたＴＭＣＣ情報に差異があった場合には多数決処理Ｓ１００を実施し、ＴＭＣＣ情報を確定する。ここでＴＭＣＣコントローラ１６は、多数決処理Ｓ１００においてＴＭＣＣ情報が確定しない場合、特定のブランチのＴＭＣＣ情報を確定値とする。一方、ステップＳ１３では、各ブランチ２０〜２３から得られたＴＭＣＣ情報に差異がない場合には後述するステップＳ１４が実施される。
【００５０】
次にステップＳ１４では、ＴＭＣＣコントローラ１６が、チャンネルチェンジ等の初期化後、初めて受け取るＴＭＣＣ情報が保持する内部ＴＭＣＣ情報と異なるか否かを判断する。ＴＭＣＣコントローラ１６は、初めて受け取るＴＭＣＣ情報が保持する内部ＴＭＣＣ情報と異なる場合はステップＳ１５を実行する。
【００５１】
このステップＳ１５では、ＴＭＣＣコントローラ１６が、直ちに内部ＴＭＣＣ情報を更新し、ＴＳデータ再構成処理に反映をさせる。一方、ＴＭＣＣコントローラ１６はステップＳ１６を実行する。このステップＳ１６では、ＯＦＤＭフレームの同期が確立したか否かが判断される。
【００５２】
ＴＭＣＣコントローラ１６は、ＯＦＤＭフレームの同期が確立していない場合、上述したステップＳ１２に戻って実施する一方、ＯＦＤＭフレームの同期が確立している場合、後述するステップＳ１７を実行する。このステップＳ１７では、上述したステップＳ１２と同様の処理であるので、説明を省略する。
【００５３】
次にステップＳ１８では、上述したステップＳ１３と同様にＴＭＣＣコントローラ１６が各ＴＭＣＣ情報に差異があるか否かを判断する。つまりＴＭＣＣコントローラ１６は、ブランチ２０〜２３によってその後取得された新規なＴＭＣＣデータが直近に取得済みの内部のＴＭＣＣデータと差異を生じているか否かを判断する。
【００５４】
ＴＭＣＣコントローラ１６は、各ブランチ２０〜２３から得られたＴＭＣＣ情報に差異があった場合には多数決処理Ｓ１００を実施し、ＴＭＣＣ情報を確定する。
【００５５】
次にステップＳ１９では、ＴＭＣＣコントローラ１６は、各ブランチ２０〜２３よりＴＭＣＣ情報を受取り多数決処理Ｓ１００により得られた新規のＴＭＣＣ情報が内部ＴＭＣＣ情報と異なっているか否かを比較する。
【００５６】
ＴＭＣＣコントローラ１６は、初回以降、各ブランチ２０〜２３よりＴＭＣＣ情報を受取り多数決処理Ｓ１００により得られた新規のＴＭＣＣ情報が内部ＴＭＣＣ情報と異なっている場合は、後述するステップＳ２３を実行する。
【００５７】
一方、受信状況に問題が無く適正な受信が持続されている場合は、伝送パラメータ切り替え指標に従い内部伝送パラメータ情報を新規の値へ更新する処理が実施される（ステップＳ２０，Ｓ２１）。即ち伝送パラメータ切り替え指標が‘０’となった場合に内部ＴＭＣＣ情報伝送パラメータ情報を更新し、ＴＳデータ再構成処理に反映させる。すなわちステップＳ２０では、取得されたＴＭＣＣ情報に含まれる伝送パラメータ切り替え指標の値が確認される。
【００５８】
ステップＳ２０にて伝送パラメータ切り替え指標が‘０’である場合にはステップＳ２２の前にステップＳ２１が実施され、伝送パラメータ切り替え指標が‘０ｘ０’ではない場合にはステップＳ２１が実施されずステップＳ２２が実施される。
【００５９】
ステップＳ２２では、受信したＴＭＣＣ情報と内部ＴＭＣＣ情報に差異が無い場合、内部レジスタである不一致確認フラグ（図示のＤｉｓｃｏｒｄ＿Ｆｌａｇに相当）及び継続カウンタ（図示のＤｉｓｃｏｒｄ＿Ｃｏｕｎｔに相当）が初期化される。
【００６０】
一方、ステップＳ１９で差異があると判断された場合、上述したステップＳ２３では、ＴＭＣＣコントローラ１６が、新規のＴＭＣＣ情報が内部ＴＭＣＣ情報と異なっていることを明示する制御フラグである不一致確認フラグを設定する。この不一致フラグが設定されることにより、コントローラ１７はＴＳデータ再構成部１５からの出力を制御し、受信装置１が受ける影響を最小限にすることが可能である。
【００６１】
ステップＳ２４では、ＴＭＣＣコントローラ１６は、不一致確認フラグが設定された後に新規のＴＭＣＣ情報が変化したか否かを判断する。ＴＭＣＣコントローラ１６は、このようにＴＭＣＣ情報が変化していた場合、ＤｉｓｃｏｒｄＣｏｕｎｔを初期化する一方、このようにＴＭＣＣ情報が変化していない場合、ステップＳ２５を実施する。
【００６２】
このステップＳ２５では、ＴＭＣＣコントローラ１６がＤｉｓｃｏｒｄＣｏｕｎｔを‘１’増加させる。次にステップＳ２６では、ＴＭＣＣコントローラ１６が設定閾値とＤｉｓｃｏｒｄＣｏｕｎｔとを比較する。ＴＭＣＣコントローラ１６は、ＤｉｓｃｏｒｄＣｏｕｎｔが設定閾値よりも小さい場合には上述したステップＳ１７に戻って実行し、ＤｉｓｃｏｒｄＣｏｕｎｔが設定閾値よりも大きい場合にはステップＳ２７を実行する。ステップＳ２７では、ＴＭＣＣコントローラ１６が、内部ＴＭＣＣ情報を新規なＴＭＣＣ情報に更新し、コントローラ１７へ引き渡す。ＴＭＣＣコントローラ１６は、上述した一連の処理をＯＦＤＭフレーム毎に実施する。
【００６３】
一方、ユーザが設定可能な値を閾値として、ＤｉｓｃｏｒｄＣｏｕｎｔの値がそれを超えるか判定をし、超えていた場合内部ＴＭＣＣ情報を新規ＴＭＣＣ情報に更新し、ＴＳデータ再生処理にそのパラメータを反映させる。その後、不一致確認フラグとＤｉｓｃｏｒｄＣｏｕｎｔの値は初期化する。ＤｉｓｃｏｒｄＣｏｕｎｔを閾値と比較するのは受信誤りによりＴＭＣＣ情報自体が誤って受信される場合が想定されるためである。ただし、内部ＴＭＣＣ情報と新規ＴＭＣＣ情報の差異が生じなくなった場合は、直ちに不一致確認フラグとＤｉｓｃｏｒｄＣｏｕｎｔの値の初期化を実施する。
【００６４】
図４は、図３に示す多数決処理Ｓ１００の詳細な手順例を示すフローチャートである。
ステップＳ２０１では、ＴＭＣＣコントローラ１６はＯＦＤＭフレーム同期が確立しているか否かを確認する。このように確認するのは、チャンネルチェンジ直後など初期化直後に、ＴＭＣＣ情報の誤り訂正結果を待たずにＴＭＣＣ情報の取得を行うためである。ＯＦＤＭフレーム同期確立後の定常状態においては、ＴＭＣＣの誤り訂正結果をチェックするステップＳ２０２が実施される。
【００６５】
ステップＳ２０２では、ＴＭＣＣコントローラ１６が、ＯＦＤＭフレーム確立後の定常状態において誤り訂正が成功した有効なＴＭＣＣ情報が各ブランチ２０〜２３から取得できたかを確認する。
【００６６】
全てのブランチ２０〜２３において誤り訂正後のエラーがゼロとならない場合、ＴＭＣＣコントローラ１６は多数決処理を実施できないと判断して新規ＴＭＣＣ情報の取得を中止し、その多数決処理を中止する。
【００６７】
ブランチ２０〜２３のいずれかにおいて誤り訂正後のエラーがゼロとなった場合、ＴＭＣＣコントローラ１６はステップＳ２０３を実行する。このステップＳ２０３では、ＴＭＣＣコントローラ１６が誤り訂正処理により、誤りが無い各ブランチ２０〜２３のＴＭＣＣデータの多数決が可能か判定を実施する。なおＴＭＣＣコントローラ１６は異なったＴＭＣＣデータが同数のブランチ２０〜２３において誤り訂正後により取得された場合、多数決処理が不可能と判断する。例えば２対２や１対１になった場合がそれにあたる。一方、実施可能であれば多数決処理を実施しブランチから得られたＴＭＣＣ情報を新規ＴＭＣＣ情報として確定する。
【００６８】
ステップＳ２０３では、ＴＭＣＣコントローラ１６は、多数決処理が実施できないと判断した場合にはステップＳ２０５を実施する。このステップＳ２０５では、ＴＭＣＣコントローラ１６は再度ＯＦＤＭフレーム同期が確立しているか確認する。このように確認するのは、ステップＳ２０１と同様に初期化直後であるかを判定する目的の他に、定常状態に達せず、かつ多数決処理を実施できないため、システムとして不安定と判定し、取得したＴＭＣＣ情報を破棄し、新規ＴＭＣＣ情報の取得を中止するためである。
【００６９】
上記ステップＳ２０５にてＯＦＤＭフレームが同期確立している場合、ＴＭＣＣコントローラ１６はユーザ処理を実行する（ステップＳ２０６）。このステップＳ２０６は、各ブランチ２０〜２３から取得したＴＭＣＣ情報が２対２や１対１のように同数のため、多数決処理が実施できなかった場合、ユーザの意図した処理（以下「ユーザ処理」と称する）により新規ＴＭＣＣ情報を確定する処理を表している。
【００７０】
＜ユーザ処理の第１の例＞
ステップＳ２０６において、各ブランチから取得されたＴＭＣＣ情報が複数種類あり、かつ、ブランチ２０〜２３（この例では４個）から得られたＴＭＣＣ情報の内容が全て異なっているなど、上述した多数決処理を実施できない場合には、ＴＭＣＣコントローラ１６は、複数存在するブランチに付与したブランチ番号の最も若い番号から取得したＴＭＣＣ情報を新規ＴＭＣＣ情報として確定しても良い。
【００７１】
＜ユーザ処理の第２の例＞
ステップＳ２０６において、各ブランチ２０〜２３から取得されたＴＭＣＣ情報が複数種類あり、かつ、取得したブランチ２０〜２３（この例では偶数の一例である４個）からのＴＭＣＣ情報の種類とその数がそれぞれ２対２のように同数であった場合、ＴＭＣＣコントローラ１６は次のように新規ＴＭＣＣ情報を選択するようにしても良い。
【００７２】
つまりＴＭＣＣコントローラ１６は、ＴＭＣＣ情報を取得したブランチ２０〜２３のＣ／Ｎ値がＴＭＣＣ情報の伝送されたキャリアの変調方式であるＤＢＰＳＫ方式を復調するに必要なＣ／Ｎ値よりも十分良好であり、かつ、ＴＭＣＣ情報を取得したブランチのうち最良のＣ／Ｎ値が得られた特定のブランチのＴＭＣＣ情報を新規ＴＭＣＣ情報として選択する。ＤＢＰＳＫ方式を復調するに必要なＣ／Ｎ値はユーザがその閾値を設定可能であり、その閾値に達する特定のブランチが無い場合は、受信したＴＭＣＣ情報を破棄し新規ＴＭＣＣ情報としない。
【００７３】
＜ユーザ処理の第３の例＞
ステップＳ２０６において、各ブランチ２０〜２３から取得されたＴＭＣＣ情報が複数種類あり、かつ、取得したブランチ（この例では４個）からのＴＭＣＣ情報の種類とその数が、それぞれ２対２のように同数であった場合、ＴＭＣＣコントローラ１６は次のように新規なＴＭＣＣ情報を選択するようにしても良い。
【００７４】
すなわちＴＭＣＣコントローラ１６は、内部ＴＭＣＣ情報を多数決処理の候補に加え判定を実施する。ＴＭＣＣコントローラ１６は、例えば２対２の同数であった場合、更に内部ＴＭＣＣ情報が候補に加わるため、５者（５個のＴＭＣＣ情報）による多数決を実施する。この方法においても、ＴＭＣＣコントローラ１６が２対２対１のように多数決処理による判断が不可能な場合は、受信したＴＭＣＣ情報を破棄し新規ＴＭＣＣ情報としない。
【００７５】
＜ユーザ処理の第４の例＞
このユーザ処理の第４の例では、ＴＭＣＣコントローラ１６が、ユーザ処理の第３の例に記載した処理においてブランチが取得したＴＭＣＣ情報の候補を、上記実施形態に記したようにＤＢＰＳＫ復調可能なＣ／Ｎ値を閾値として制限する。
【００７６】
即ちＴＭＣＣコントローラ１６は、ＤＢＰＳＫ復調に十分なＣ／Ｎ値を持つブランチ２０〜２３から得られたＴＭＣＣ情報と、内部ＴＭＣＣ情報の全てを候補に多数決処理を実施する。内部ＴＭＣＣ情報を使用しても、１対１対１のように多数決処理によりＴＭＣＣ情報の選択が出来ない場合は、取得したＴＭＣＣ情報を破棄し新規ＴＭＣＣ情報としない。
【００７７】
以上説明したように、本実施形態における地上デジタル放送受信装置１（受信装置に相当）は、複数のアンテナで各々独立して受信された受信信号を複調し、各前記受信信号に含まれる各伝送データ及び各前記伝送データに重畳されている各制御データ（ＴＭＣＣデータ）を取得する複数のブランチ２０〜２３と、各前記ブランチ２０〜２３で取得した各前記制御データの内容に差異が生じた場合、前記複数の制御データのうち同一であってかつ多数を占める特定の制御データを選択する制御データ選択手段１６（ＴＭＣＣコントローラ）と、前記制御データ選択手段１６によって選択された前記特定の制御データを用いて、前記複数の伝送データを合成してトランスポートストリームデータを再構成する再構成手段１４，１５（ダイバー合成部、ＴＳデータ再構成部）とを有することを特徴とする。
【００７８】
本実施形態における地上デジタル放送受信方法は、複数のアンテナで各々独立して受信された受信信号を復調し、各前記受信信号に含まれる各伝送データ及び各前記伝送データに重畳されている各制御データ（ＴＭＣＣデータ）を取得する複数のブランチで取得した各前記制御データの内容に差異が生じた場合、前記複数の制御データのうち同一であってかつ多数を占める特定の制御データを選択する制御データ選択ステップと、前記制御データ選択ステップにて選択された前記特定の制御データを用いて、前記複数の伝送データを合成してトランスポートストリームデータを再構成する再構成ステップとを有することを特徴とする。
【００７９】
これらのようにすると、複数の放送局から同時に複数の受信信号を受信した場合に、内部的にこれら各放送局に対応した複数種類の制御データが存在しているときでも、多数を占める伝送データ群に対応した適切な特定の制御データを用いて、確実にこれら伝送データ群からトランスポートストリームデータを出力することができる。
【００８０】
つまり、例えば１つの放送局から受信信号を受信したもののデータの損壊等により内部的に複数種類の制御データが存在してしまった場合とは異なる上述のような状況においても、適切な特定の制御データを用いて確実にトランスポートストリームデータを出力することができる。
【００８１】
上記実施形態における地上デジタル放送受信装置１は、上述した構成に加えてさらに、前記ブランチ２０〜２３は、各々の前記制御データを受信後に誤り訂正を実施する誤り訂正手段を備え、前記誤り訂正手段によって誤り訂正が不能とされた前記制御データを破棄することを特徴とする。
【００８２】
このようにすると、受信装置１は、常に正確な制御データを用いて受信処理を行うことができる。
【００８３】
上記実施形態における地上デジタル放送受信装置１は、上述した構成に加えてさらに、前記制御データ選択手段１６は、前記複数のブランチ２０〜２３で受信された前記複数の制御データに差異が生じた場合、前記複数の制御データのうち同一であってかつ最も数の多い特定の制御データを選択することを特徴とする。
【００８４】
このようにすると、地上デジタル放送受信装置１は、受信状態が良好とはいえない状況でも１つの制御データを選択して受信すべき受信信号を特定し、その受信信号の受信に適した状態に設定することができる。
【００８５】
上記実施形態における地上デジタル放送受信装置１は、上述した構成に加えてさらに、前記複数の制御データのうち同一であってかつ最も数の多い特定の制御データが複数存在する場合に、前記制御データ選択手段１６は、予め定められた特定のブランチで取得した制御データを選択することを特徴とする。
【００８６】
上記実施形態における地上デジタル放送受信装置１は、上述した構成に加えてさらに、前記ブランチ２０〜２３は、各々の前記制御データを受信後に誤り訂正を実施する誤り訂正手段を備え、初期化処理後初めて受信する前記制御データを、前記誤り訂正手段によって誤り訂正処理を実施せず、前記再構成手段１４，１５で使用する各前記制御データを受信し次第、前記制御データ選択手段１６に引き渡すことを特徴とする。
【００８７】
このようにすると、ブランチ２０〜２３は、例えば初回だけこのように直ちに制御データを引き渡すと、制御データの誤り訂正を行わない分、従来よりも速く伝送データの復調を開始することができる。
【００８８】
なお、本実施形態は、上記に限られず、種々の変形が可能である。以下、そのような変形例を順を追って説明する。
【００８９】
上記実施形態ではブランチ２０などの数が４個と例示しているが、ブランチの数は複数個であれば良い。このようにすると、受信装置１は多数決処理により確実に一つのＴＭＣＣ情報を特定することができる。
【００９０】
また、以上既に述べた以外にも、上記実施形態や各変形例による手法を適宜組み合わせて利用しても良い。
【図面の簡単な説明】
【００９１】
【図１】一実施形態としての受信装置の電気的な構成例を示すブロック図である。
【図２】ＴＭＣＣ取得処理の手順例を示すフローチャートである。
【図３】ＴＭＣＣコントローラの処理例を示すフローチャートである。
【図４】図３に示す多数決処理の詳細な手順例を示すフローチャートである。
【符号の説明】
【００９２】
１                受信装置（地上デジタル放送受信装置）
１６              ＴＭＣＣコントローラ（制御データ選択手段）
２０              ブランチ
２１              ブランチ
２２              ブランチ
２３              ブランチ
【図１】
0005121543.tif 000002
【図２】
0005121543.tif 000003
【図３】
0005121543.tif 000004
【図４】
0005121543.tif 000005